(57)【要約】  【課題】  簡単な構成で、ディスクの排出を確実に行うことが可能な縦型ディスク再生装置を提供する。  【解決手段】  ディスクホルダー４が上昇すると、これに保持されたディスク５も共に上昇し、ディスク５は逃げ蓋体９を押し上げる。そして、逃げ蓋体９が開いていくと、板バネ１２により閉じる方向へ強く付勢されるので、逃げ蓋体９からディスク５の上端部に対して、装置後方へとディスク位置修正力が働く。これにより、ディスク５の上端はディスク入出口７の位置へと移動し、同時に逃げ蓋体９は閉じる方向に回転する。最後に、逃げ蓋体９が閉じて、ディスク５の上端がディスク入出口７の位置へと修正された状態となる。【選択図】      図３
2005339660.tif 000002
【特許請求の範囲】
【請求項１】
キャビネットのディスク収納部を開閉する蓋体と、該蓋体の裏面側に上下摺動自在に設けられディスクを保持するディスクホルダーと、前記蓋体の上部に設けられ該蓋体に対してディスクを挿入或いは排出するディスク入出口とを有する縦型ディスク再生装置において、
前記ディスク入出口の縁部からその外側にかけて設けた開口部を開閉する逃げ蓋体を備え、前記ディスクホルダーにより保持されたディスクが上昇して該ディスクにより前記逃げ蓋体が押し開けられたときに、該逃げ蓋体が閉じる方向に付勢されて前記ディスクを前記ディスク入出口の位置へと位置修正するようにして成ることを特徴とする縦型ディスク再生装置。
【請求項２】
前記逃げ蓋体が所定の角度だけ開いたときに該逃げ蓋体に当接し、該逃げ蓋体がそれ以上開かないようにする逃げ蓋押さえ部材を設けたことを特徴とする請求項１に記載の縦型ディスク再生装置。
【請求項３】
前記逃げ蓋体に、該逃げ蓋体が開くことに連動して前記ディスクを前記ディスク入出口の位置へと押す突起を設けたことを特徴とする請求項１又は請求項２に記載の縦型ディスク再生装置。
【請求項４】
前記逃げ蓋体により開閉される開口部に、前記ディスクを前記ディスク入出口の位置へと案内する案内斜面を設けたことを特徴とする請求項１〜請求項３のいずれかに記載の縦型ディスク再生装置。
【発明の詳細な説明】
【技術分野】
【０００１】
本発明は、例えばＣＤ，ＤＶＤ等のディスクを縦に収納した状態で再生する縦型ディスク再生装置に関するものである。
【背景技術】
【０００２】
従来より、ディスクを縦に収納した状態で再生する縦型ディスク再生装置が知られている。これは、キャビネットのディスク収納部を開閉する蓋体を設け、この蓋体の内面側にディスクを保持させて、蓋体の閉動作に伴いディスクをディスク収納部のターンテーブルに装着するよう構成したものである。
【０００３】
また、径の異なるディスクでも蓋体の閉動作に伴いターンテーブルに装着できるようにしたものが、本出願人により特許文献１に開示されている。これは、曲率半径の異なる円弧状のディスク載置面を有し径の異なるディスクを選択的に載置するディスクホルダーを、蓋体の内面側に上下摺動自在に設け、各ディスク載置面に載置するディスクの中心部がターンテーブルの回転中心部に対向するように、このディスクホルダーの位置を使用ディスクに応じて変えるようにしたものである。
【０００４】
また、図１１〜図１３は、従来の縦型ディスク再生装置の一例の概要を示す斜視図である。図１１は蓋体開状態、図１２はディスク挿入状態、図１３は蓋体閉状態をそれぞれ示している。これらの図において、１は略直方体の箱状で立設されるキャビネット、２はキャビネット１の前方に設けられた蓋体である。蓋体２は、その下部に備えた回転軸３を中心として回動し、キャビネット１正面のディスク収納部１ａを開閉する働きを持つ。
【０００５】
また、蓋体２の上部には、正面から見て左右方向に延在するスリット状のディスク入出口７が設けられている。ディスク入出口７は、蓋体２が開いたときにキャビネット１から露出し、この状態でディスク５が挿入或いは排出される。そして、蓋体２の裏面側には、後述するディスクホルダー４（ここでは不図示）を備えており、ディスク入出口７から挿入されるディスク５を保持し、また蓋体２の裏面に沿って上下に摺動自在である。
【０００６】
さらに、ディスク収納部１ａには、後述するように、ディスク５を装着して回転するターンテーブル８（ここでは不図示）が突設している。その他、キャビネット１内部には、蓋体２を開閉し、またディスクホルダー４を上下動させる蓋体動力機構６、及びターンテーブル８を回転させてディスク５を再生する、後述するディスク再生機構２１（ここでは不図示）が設けられている。
【０００７】
さて、図１１に示すように、蓋体２が開いた状態で、矢印の如くディスク５をディスク入出口７に挿入すると、図１２に示すように、ディスク５がディスク入出口７から突出した状態で、蓋体２に載置される。このとき、ディスク５は蓋体２の裏面に設けられた上記ディスクホルダー４に保持されている。続いて、蓋体動力機構６により蓋体２が閉じられると、これに伴いディスクホルダー４が下降し、ディスク５が蓋体２内部へと引き込まれる。そして、図１３に示すように蓋体２が閉まると、キャビネット１にディスク５が収容される。
【０００８】
この状態で、上記ターンテーブル８にディスク５が装着され、上記ディスク再生機構２１によりターンテーブル８が回転して、ディスク５が再生される。ディスク５の再生が終了すると、上述したディスク挿入の場合とは逆の手順で、ディスク５の排出が行われる。図１４は、このようなディスクの排出動作を示す、従来の縦型ディスク再生装置の側面断面図である。同図（ａ）は蓋体閉状態、同図（ｂ）は蓋体開状態、同図（ｃ）はディスク排出状態をそれぞれ示している。
【０００９】
まず、同図（ａ）では、キャビネット１からその正面のディスク収納部１ａに突設するターンテーブル８に、ディスク５が装着され、ディスク再生機構２１によりディスク５が再生可能な状態となっている。次にこの状態から、例えばディスク再生終了後に、蓋体２が開くと同図（ｂ）の状態となる。ここではディスク５がディスクホルダー４下部のディスク保持部４ａに保持された状態となっている。
【００１０】
更にこの状態から、矢印Ｂのようにディスクホルダー４が上昇すると、これに保持されたディスク５も共に上昇し、ディスク５がディスク入出口７より排出されて同図（ｃ）の状態となる。この状態は、上記図１２に示した状態と同様であり、ディスク５が取り出し可能となっている。なお、７ａはディスク入出口７上部前後縁部に設けられた、ディスク５挿入時案内用のテーパ面である。
【特許文献１】実開昭６４−４５３４０号公報
【発明の開示】
【発明が解決しようとする課題】
【００１１】
しかしながら、上記図１１〜図１４に示したような従来の構成では、ディスク５がディスクホルダー４に対して傾いた状態で保持されているときに問題となる。図１５は、このような、ディスク５がディスクホルダー４に対して傾いた状態で保持されている様子を示す図であり、従来の縦型ディスク再生装置の側面断面図である。そして、同図は蓋体開状態を示している。
【００１２】
さて、ディスク５の排出動作を行うとき、ディスク装着状態から蓋体開状態に至る過程において、装置外部からの振動等により、同図のようにディスク５がディスクホルダー４に対して傾いた状態で、保持部４ａに保持されていたとする。この状態でディスクホルダー４が上昇すると、ディスク５の上端の位置はディスク入出口７から外れているので、ディスク５は蓋体２の天井面２ａに当接し、排出できなくなる。なお、ディスク５の傾き方向は、蓋体２が開くときに傾く方向に合わせて、同図のように装置正面側となるのが通常である。
【００１３】
このようなディスク５の傾きを防止するため、蓋体２の天井面２ａに、ディスク５をその排出時にガイドするガイドを設けることも考えられるが、ディスク５の再生時にそのガイドが当接する恐れがあり、採用することができない。本発明は、以上のような問題点に鑑み、簡単な構成で、ディスクの排出を確実に行うことが可能な縦型ディスク再生装置を提供することを目的とする。
【課題を解決するための手段】
【００１４】
上記目的を達成するために、本発明では、キャビネットのディスク収納部を開閉する蓋体にディスク入出口を有し、ディスク入出口の縁部からその外側にかけて設けた開口部を開閉する逃げ蓋体を備え、蓋体の裏面側に保持されたディスクが上昇してこれにより逃げ蓋体が押し開けられたときに、逃げ蓋体が閉じる方向に付勢されてディスクをディスク入出口の位置へと位置修正するようにしている。
【００１５】
また、逃げ蓋体が所定の角度だけ開いたときに逃げ蓋体に当接する逃げ蓋押さえ部材を設けて、逃げ蓋体がそれ以上開かないようにしている。また、逃げ蓋体に突起を設けて、これにより逃げ蓋体が開くことに連動してディスクをディスク入出口の位置へと押すようにしている。また、逃げ蓋体により開閉される開口部に案内斜面を設けて、ディスクをディスク入出口の位置へと案内するようにしている。
【発明の効果】
【００１６】
本発明によれば、簡単な構成で、ディスクの排出を確実に行うことが可能な縦型ディスク再生装置を提供することができる。
【００１７】
具体的には、蓋体の裏面側に保持されたディスクが上昇してこれにより逃げ蓋体が押し開けられたときに、逃げ蓋体が閉じる方向に付勢されてディスクをディスク入出口の位置へと位置修正するようにしている。これにより、ディスクは従来のように蓋体の天井面に当接することなく、ディスク入出口よりスムーズに排出される。
【００１８】
また、逃げ蓋体が所定の角度だけ開いたときに逃げ蓋体に当接する逃げ蓋押さえ部材を設けて、逃げ蓋体がそれ以上開かないようにしている。これにより、逃げ蓋体が完全に開いてしまうことがなくなり、逃げ蓋体の下面に沿ったディスク位置修正力が働き、また逃げ蓋体の付勢力と相俟って、確実にディスクの位置修正が行われる。
【００１９】
また、逃げ蓋体に突起を設けて、これにより逃げ蓋体が開くことに連動してディスクをディスク入出口の位置へと押すようにしたことにより、逃げ蓋体の付勢力と相俟って、確実にディスクの位置修正が行われる。
【００２０】
また、逃げ蓋体により開閉される開口部に案内斜面を設けて、ディスクをディスク入出口の位置へと案内するようにしたことにより、逃げ蓋体の付勢力と相俟って、確実にディスクの位置修正が行われる。
【発明を実施するための最良の形態】
【００２１】
以下、本発明の実施の形態について、図面を参照しながら説明する。なお、前記従来例と共通する部分には同一の符号を付して、詳細な説明を適宜省略する。
【実施例１】
【００２２】
図１，図２は、本発明の実施例１に係る縦型ディスク再生装置の概要を示す斜視図である。各図共、蓋体２が開いた状態となっている。本実施例では、各図に示すように、ディスク入出口７の中央を含む左右方向の所定の長さに渡って、その前縁から外側前方部分を開閉する長板状の逃げ蓋体９を設けている。なお、ディスク入出口７の前縁から前方にかけて逃げ蓋体９により開閉される部分を開口部１３とする。この開口部１３は、ディスク入出口７に連通している。逃げ蓋体９は各図においてチェック線で示している。図１では逃げ蓋体９が閉じた状態を示しており、図２では逃げ蓋体９がディスク５の排出時にこれに押し上げられて開いた状態を示している。
【００２３】
また図３は、ディスクホルダーに対して傾いたディスクの排出時の状態を示す、本実施例の縦型ディスク再生装置の側面断面図である。同図（ａ）は逃げ蓋体閉状態、同図（ｂ）は逃げ蓋体開状態、同図（ｃ）はディスク位置修正状態をそれぞれ示している。また、図４（ａ）は逃げ蓋体閉状態での主要部詳細、同図（ｂ）は逃げ蓋体開状態での主要部詳細をそれぞれ示している。そして、図３（ａ），図４（ａ）は図１に示した状態と同様であり、また図３（ｂ），図４（ｂ）は図２に示した状態と同様である。
【００２４】
逃げ蓋体９は、図４（ａ），（ｂ）等に示すように、その前端部に回転軸１０が設けられており、これを中心として矢印Ａで示すように上下に開閉可能である。また、逃げ蓋体９の後端部はディスク入出口７の前縁部を兼ねており、ディスク入出口７上部前後縁部に設けられたディスク５挿入時案内用のテーパ面７ａのうち、ディスク入出口７上部前縁部のテーパ面７ａに対応して、逃げ蓋体９の上部後端に斜面９ａが設けられている。
【００２５】
さらに、逃げ蓋体９の下面前端部より前方に突起１７が延びており、一方、蓋体２の裏面上端部より後方に板バネ１２が延びている。そして、板バネ１２で突起１７を上方へ押さえ付けることにより、逃げ蓋体９を閉じる方向へ付勢している。なお、逃げ蓋体を付勢する手段としては、板バネに限定されるものでは勿論なく、例えば板バネの代わりに圧縮コイルバネを設けたり、或いは回転軸周りにねじりコイルバネを設けたりする等の方法を用いても良い。
【００２６】
さて、ディスク５がターンテーブル８に装着された状態から、例えばディスク再生終了後に、蓋体２が開いて図３（ａ）の状態になったとする。ここではディスク５がディスクホルダー４に対して装置正面側に傾いた状態で、ディスクホルダー４下部のディスク保持部４ａに保持された状態となっている。この状態から、ディスクホルダー４が矢印Ｂのように上昇すると、これに保持されたディスク５も共に上昇するが、ディスク５の上端の位置はディスク入出口７から外れて逃げ蓋体９の下側に位置しているので、同図（ｂ）に示すように、ディスク５は逃げ蓋体９を押し上げることとなる。
【００２７】
即ち、逃げ蓋体９は図４（ａ）の閉状態から、回転軸１０を中心として上方へと開くように回転し、同図（ｂ）の開状態へと移行する。そして、逃げ蓋体９が開いていくと、板バネ１２により閉じる方向へ強く付勢されるので、同図（ｂ）に示すように、逃げ蓋体９からディスク５の上端部に対して、装置後方へと矢印Ｃで示すようなディスク位置修正力が働く。これにより、ディスク５の上端はディスク入出口７の位置へと移動し、同時に逃げ蓋体９は回転軸１０を中心として閉じる方向に回転する。最後に、図３（ｃ）に示すように、逃げ蓋体９が閉じて、ディスク５の上端がディスク入出口７の位置へと修正された状態となる。このように、本実施例によれば、ディスク５は従来のように蓋体２の天井面２ａに当接することなく、ディスク入出口７よりスムーズに排出される。
【実施例２】
【００２８】
図５は、本発明の実施例２に係る縦型ディスク再生装置の側面断面図であり、ディスクホルダーに対して傾いたディスクの排出時の状態を示している。同図（ａ）は逃げ蓋体閉状態、同図（ｂ）は逃げ蓋体開状態、同図（ｃ）はディスク位置修正状態をそれぞれ示している。また、図６（ａ）は逃げ蓋体閉状態での主要部詳細、同図（ｂ）は逃げ蓋体開状態での主要部詳細をそれぞれ示している。
【００２９】
各図に示すように、本実施例では、上記実施例１の逃げ蓋体９を設けた構成に加えて、蓋体２の上面２ｂ上で逃げ蓋体９の前側に、上面が湾曲した略ブロック状の逃げ蓋押さえ１８が配置されている。そして、逃げ蓋押さえ１８の後部下端には、角部を面取りすることにより斜面１８ａが設けられている。斜面１８ａは、逃げ蓋体９が所定の角度だけ開いたときに、その上面９ｂに沿うようにして当接するようになっている。ここで、所定の角度とは、例えば図６（ｂ）に示すように、逃げ蓋体９が開いて逃げ蓋押さえ１８と当接したときに、蓋体２の上面２ｂに対して逃げ蓋体９の上面９ｂが成す鋭角の角度αを言う。
【００３０】
さて、ディスク５がターンテーブル８に装着された状態から、例えばディスク再生終了後に、蓋体２が開いて図５（ａ）の状態になったとする。ここではディスク５がディスクホルダー４に対して装置正面側に傾いた状態で、ディスクホルダー４下部のディスク保持部４ａに保持された状態となっている。この状態から、ディスクホルダー４が矢印Ｂのように上昇すると、これに保持されたディスク５も共に上昇するが、ディスク５の上端の位置はディスク入出口７から外れて逃げ蓋体９の下側に位置しているので、同図（ｂ）に示すように、ディスク５は逃げ蓋体９を押し上げることとなる。
【００３１】
即ち、逃げ蓋体９は図６（ａ）の閉状態から、回転軸１０を中心として上方へと開くように回転し、同図（ｂ）の開状態へと移行する。そして、逃げ蓋体９が上記所定の角度αだけ開くと、同図（ｂ）に示すように、逃げ蓋体９の上面９ｂが逃げ蓋押さえ１８の斜面１８ａに当接し、逃げ蓋体９がそれ以上回転しなくなる。このとき、逃げ蓋体９からディスク５の上端部に対して、逃げ蓋体９の下面９ｃに沿って、装置後方で斜め上方へと、矢印Ｄで示すようなディスク位置修正力が働く。
【００３２】
これにより、ディスク５の上端はディスク入出口７の位置へと移動し、続いて逃げ蓋体９は回転軸１０を中心として閉じる方向に回転する。最後に、図５（ｃ）に示すように、逃げ蓋体９が閉じて、ディスク５の上端がディスク入出口７の位置へと修正された状態となる。このように、本実施例によれば、ディスク５は従来のように蓋体２の天井面２ａに当接することなく、ディスク入出口７よりスムーズに排出される。また本実施例では、逃げ蓋押さえ１８により逃げ蓋体９が開く角度を規制しているので、逃げ蓋体９が完全に開いてしまうことがなくなり、これにより逃げ蓋体９の下面９ｃに沿ったディスク位置修正力が働き、また逃げ蓋体９の付勢力と相俟って、確実にディスク５の位置修正が行われる。
【実施例３】
【００３３】
図７，図８は、本発明の実施例３に係る縦型ディスク再生装置の概要を示す斜視図である。各図共、蓋体２が開いた状態となっている。本実施例では実施例１と同様にして、各図に示すように、ディスク入出口７の中央を含む左右方向の所定の長さに渡って、その前縁から前方部分を開閉する長板状の案内逃げ蓋体１６を設けている。案内逃げ蓋体１６は各図においてチェック線で示している。案内逃げ蓋体１６は、その前端部に設けた図示しない回転軸を中心として、上下に開閉可能である。なお、案内逃げ蓋体１６の機構構成は、上記逃げ蓋体９と同様である。図７では案内逃げ蓋体１６が閉じた状態を示しており、図８では案内逃げ蓋体１６がディスク５の排出時にこれに押し上げられて開いた状態を示している。
【００３４】
また、案内逃げ蓋体１６は、左右の端部１６ａが、前端から後端へと向かうにつれて外側へと広がる形状をしている。一方、ディスク入出口７の前縁から前方にかけて案内逃げ蓋体１６により開閉される開口部１９は、左右の端部１９ａが、案内逃げ蓋体１６の左右の端部１６ａに沿って、前端から後端へと向かうにつれて外側へと広がる形状をしている。この端部１９ａは、ディスク５の排出時にディスク５をディスク入出口７の位置へと案内する案内斜面の役割をしている。即ち、ディスク５の排出時にディスク５が上昇し、案内逃げ蓋体１６を押し上げつつ端部１９ａに当接すると、端部１９ａからディスク５に対して、端部１９ａに沿って、装置後方で斜め外方へと、矢印Ｅで示すようなディスク位置修正力が働く。
【００３５】
これにより、ディスク５の上端はディスク入出口７の位置へと移動し、続いて案内逃げ蓋体１６は図示しない回転軸を中心として閉じる方向に回転する。最後に案内逃げ蓋体１６が閉じて、ディスク５の上端がディスク入出口７の位置へと修正された状態となる。このように、本実施例によれば、ディスク５は従来のように蓋体２の天井面２ａに当接することなく、ディスク入出口７よりスムーズに排出される。また本実施例では、案内逃げ蓋体１６により開閉される開口部１９の左右の端部１９ａが、ディスク５をディスク入出口７の位置へと案内する案内斜面の役割をしているので、案内逃げ蓋体１６の付勢力と相俟って、確実にディスク５の位置修正が行われる。
【実施例４】
【００３６】
図９は、本発明の実施例４に係る縦型ディスク再生装置の側面断面図であり、ディスクホルダーに対して傾いたディスクの排出時の状態を示している。同図（ａ）は逃げ蓋体閉状態、同図（ｂ）は逃げ蓋体開状態をそれぞれ示している。また、図１０（ａ）は逃げ蓋体閉状態での主要部詳細、同図（ｂ）は逃げ蓋体開状態での主要部詳細をそれぞれ示している。各図に示すように、本実施例では、上記実施例２の構成に加えて、逃げ蓋体９の下面前端部より前方に延びる上述した突起１７の根元部に、突起１１を設けている。
【００３７】
そして、ディスク５排出時に、逃げ蓋体９が開くことに連動して、この突起１１によりディスク５をディスク入出口７の位置へと押す構成としている。なお、突起１１によりディスク５の上端部を確実に押すために、突起１１は装置正面から見て逃げ蓋体９の少なくとも中央部及びその近辺に渡って設けるのがよい。また、突起１１は必ずしも突起１７の根元部に設ける必要はなく、逃げ蓋体９の下面でディスク５を確実に押せる位置であれば良い。
【００３８】
さて、ディスク５がターンテーブル８に装着された状態から、例えばディスク再生終了後に、蓋体２が開いて図９（ａ）の状態になったとする。そして、同図（ｂ）に示すように、ディスク５がディスクホルダー４に対して装置正面側に傾いた状態で、ディスクホルダー４下部のディスク保持部４ａに保持された状態から、ディスクホルダー４が矢印Ｂのように上昇すると、これに保持されたディスク５も共に上昇するが、ディスク５の上端の位置はディスク入出口７から外れて逃げ蓋体９の下側に位置しているので、ディスク５は逃げ蓋体９を押し上げることとなる。
【００３９】
即ち、逃げ蓋体９は図１０（ａ）の閉状態から、回転軸１０を中心として上方へと開くように回転し、同図（ｂ）の開状態へと移行する。そして、逃げ蓋体９が上記所定の角度αだけ開くと、同図（ｂ）に示すように、逃げ蓋体９の上面９ｂが逃げ蓋押さえ１８の斜面１８ａに当接し、逃げ蓋体９がそれ以上回転しなくなる。このとき、逃げ蓋体９からディスク５の上端部に対して、逃げ蓋体９の下面９ｃに沿って、装置後方で斜め上方へと、矢印Ｄで示すようなディスク位置修正力が働く。
【００４０】
加えて、逃げ蓋体９が開くことに連動して、突起１１がディスク５上端部を押すことにより、突起１１からディスク５の上端部に対して、装置後方へと矢印Ｆで示すようなディスク位置修正力が働く。これにより、ディスク５の上端はディスク入出口７の位置へと移動し、続いて逃げ蓋体９は回転軸１０を中心として閉じる方向に回転する。このように、本実施例によれば、ディスク５は従来のように蓋体２の天井面２ａに当接することなく、ディスク入出口７よりスムーズに排出される。また本実施例では、ディスク５を突起１１で押す構成としたことにより、確実にディスク５の位置修正が行われる。なお、本実施例では突起１１と逃げ蓋押さえ１８とを併用した構造としているが、これに限定されるものではなく、突起１１を単独で用いても良い。
【産業上の利用可能性】
【００４１】
本発明は、ディスク再生装置として例示したが、これに限定されるものでは勿論なく、ディスク記録装置、さらにはディスク記録再生装置としても適用可能である。
【図面の簡単な説明】
【００４２】
【図１】本発明の実施例１に係る縦型ディスク再生装置の概要を示す斜視図。
【図２】本発明の実施例１に係る縦型ディスク再生装置の概要を示す斜視図。
【図３】本実施例の縦型ディスク再生装置の側面断面図。
【図４】本実施例における逃げ蓋体付近の主要部詳細を示す側面断面図。
【図５】本発明の実施例２に係る縦型ディスク再生装置の側面断面図。
【図６】本実施例における逃げ蓋体付近の主要部詳細を示す側面断面図。
【図７】本発明の実施例３に係る縦型ディスク再生装置の概要を示す斜視図。
【図８】本発明の実施例３に係る縦型ディスク再生装置の概要を示す斜視図。
【図９】本発明の実施例４に係る縦型ディスク再生装置の側面断面図。
【図１０】本実施例における逃げ蓋体付近の主要部詳細を示す側面断面図。
【図１１】従来の縦型ディスク再生装置の一例の概要を示す斜視図。
【図１２】従来の縦型ディスク再生装置の一例の概要を示す斜視図。
【図１３】従来の縦型ディスク再生装置の一例の概要を示す斜視図。
【図１４】従来の縦型ディスク再生装置の側面断面図。
【図１５】従来の縦型ディスク再生装置の問題点を示す側面断面図。
【符号の説明】
【００４３】
１    キャビネット
２    蓋体
３    回転軸
４    ディスクホルダー
５    ディスク
６    蓋体動力機構
７    ディスク入出口
８    ターンテーブル
９    逃げ蓋体
１０    回転軸
１１    突起
１２    板バネ
１３    開口部
１６    案内逃げ蓋体
１７    突起
１８    逃げ蓋押さえ
１９    開口部
２１    ディスク再生機構
【図１】
2005339660.tif 000003
【図２】
2005339660.tif 000004
【図３】
2005339660.tif 000005
【図４】
2005339660.tif 000006
【図５】
2005339660.tif 000007
【図６】
2005339660.tif 000008
【図７】
2005339660.tif 000009
【図８】
2005339660.tif 000010
【図９】
2005339660.tif 000011
【図１０】
2005339660.tif 000012
【図１１】
2005339660.tif 000013
【図１２】
2005339660.tif 000014
【図１３】
2005339660.tif 000015
【図１４】
2005339660.tif 000016
【図１５】
2005339660.tif 000017